(57)【要約】【課題】  刈取幅が拡張する３〜６条刈りでは、運転席の前方と引起し装置が重合し警報音の発信を広範囲にわたり妨げ、ホーンの設置場所が制約されて刈取部よりも高い位置になったり、路上走行における該警報音が受信者に感知され難くなる等の不具合がある。【解決手段】  刈取部が運転席の前面と重合する多条刈りコンバインにおいて、昇降する刈取部Ａの正面視で運転席Ｃの前方に設けたホーン２を引起し装置５を形成するタイン通路８の幅内に臨ませ、しかも、作業中の引起しケース１越しにホーン２が直視できる高い位置に設置し、該ホーン２を包囲する集音ケース１０を設けるとともに、刈取部Ａが上昇しても前記タイン通路８を介して機体前方に警報音を発信できるコンバインの警報装置にしたものである。【選択図】  図１
2005151806.tif 000002
【特許請求の範囲】
【請求項１】
機体の前方に装着した刈取部が運転席の前面と重合する多条刈りコンバインにおいて、運転席（Ｃ）の前方に設けたホーン（２）を正面視で引起し装置（５）を形成するタイン通路（８）の幅内に臨ませたことを特徴とするコンバインの警報装置。
【請求項２】
刈取部（Ａ）を降下させた作業状態の正面視で、引起し装置（５）よりも上方の操作コラム（３）にホーン（２）を設置したことを特徴とする請求項１に記載したコンバインの警報装置。
【請求項３】
ホーン（２）の外周を覆う集音ケース（１０）を操作コラム（３）に内設し、前面を多孔面（１１）で構成したことを特徴とする請求項２に記載したコンバインの警報装置。
【発明の詳細な説明】
【技術分野】
【０００１】
運転席と刈取部が重合する多条刈りのレイアウトにおいて、運転席の前方に設けたホーンの警報音を昇降自在の該刈取部に妨げられることなく、機体前方に発信させるコンバインの警報装置に関するものである。
【背景技術】
【０００２】
従来、ホーンを運転席のフロントカバー内に設置したり、ステップの下方に収設して雨水や洗車に用いる圧力水から防いだ配置にしているが、警報音が前方に発信され難くエンジン音等にかき消され、しかも、作業中は脱穀の処理音や刈取りの騒音が加わり該警報音の到達距離が不足する。このような騒音障害を防止した音声装置の事例として、移植機で作業中に発生した異状事態を報知する手段があり、運転席の前方に設けたステアリングコラムに警報を発信するスピーカを設置し、座席に向けて音声を発信して運転者に感知させるものがある（例えば特許文献１参照。）。更に、コンバイン各部に設けた異状検出手段と、音声で報知する警報手段を操作席の前方に配置した操作コラムの裏面側に備え、前述同様運転者に感知させるものがある（例えば特許文献２参照。）。このような従来技術は警報音を運転者に向けて発信させ、作業中の異状警報を聞き取り易くした通報手段である。
【０００３】
【特許文献１】特開２００１−２７５４１７号公報  （第１、６頁、第５、６図）
【特許文献２】特開２００２−０６８０２９号公報  （第１、３頁、第１図）
【発明の開示】
【発明が解決しようとする課題】
【０００４】
大型化したコンバインでは、刈取り条数が３〜６条になって刈幅が拡張されて運転席の前方に引起し装置が重合し、しかも、昇降する刈取部によって機体の前面を塞ぎ後方から発信する警報音を広範囲にわたり妨げ、ホーンの設置場所が高い位置に制約されたり、路上走行における該警報音の到達距離が不足する等の不具合がある。これらを改善するために、刈取部の後方から警報音を発信しても機体前方に到達する距離が確保できる警報装置にしたものである。
【課題を解決するための手段】
【０００５】
刈取部が上昇しても引起しケース間のタイン通路を介したホーンの通音路を形成するとともに、刈取部を下降させた収穫作業中においても引起し装置より高い位置から警報音を発信できる構成にしたものである。
【０００６】
運転席の前方に設けたホーンを正面視で引起し装置を形成するタイン通路の幅内に臨ませ、刈取昇降にともなう送信障害を前記タイン通路で回避し、警報音が機体前方に発信できる構成にした。
【０００７】
刈取部を降下させた作業状態の正面視で、引起し装置よりも上方の操作コラムにホーンを設置し、騒音の高い作業中でも警報音を引起しケース越しに発信できる構成にした。
【０００８】
ホーンの外周を覆う集音ケースを操作コラムに内設し、前面を多孔面で構成して警報音を前方に集中させるとともに、洗車時の水圧力をスリット孔やメッシュ材で成形した該多孔面にし、圧力水の勢いを緩和させる構成にした。
【発明の効果】
【０００９】
コンバインの大型化に伴う刈取部Ａの拡張と昇降によって、機体の前方に設置したホーン２の前面が塞がれて警報音の発信が妨げられるために、正面視で引起し装置５を形成するタイン通路８の幅内にホーン２を臨ませ、刈取昇降にともなう送信障害を前記タイン通路８を介した通音路で回避し、機体の前方から警報音の発信が可能になって該ホーン２を設置する場所の制約が解消され、しかも、該警報音が機体の中央に近い位置になり、多条刈りのコンバインに適合する警報装置になった。又、前記ホーン２が収設された集音ケース１０を操作コラム３に設け、タイン通路８を介した離れた前方位置において、直進する警報音を聴取し易くしたものである。
【発明を実施するための最良の形態】
【００１０】
大型コンバインの刈取部Ａが昇降すると、機体前面の占有面積が大幅に拡大するとともに小型機に比べて路上走行の速度が早くなることから、警報音をより遠方に到達させるためにホーン２の前方を開放する必要があり、送信障害になる前記刈取部Ａ等の構造物を回避させ、機体の中央付近に近づけた位置から前方に向けて発信できる該ホーン２を装着し、警報音の直進性が保持された刈取部Ａの構成にして、警報音の受信者が危険を回避し易くしたコンバインの警報装置を実現したものであり、前述した詳細の内容を以下の実施例で説明する。
【実施例】
【００１１】
以下、本発明によるコンバインの警報装置について、図７に示すコンバインの正面図と、図４のコンバイン前方の平面図を併用して３条刈コンバインの事例で構造の概要を説明すると、一対のクローラ走行装置１５に連結する機台１６上の右側前方に運転席Ｃを装備し、エンジンルーム１７の上にシート１８が設置され
、これに対向するハンドル２０とステアリングコラム４７を前方に設けて、前記クローラ走行装置１５の回転速度を変化させて機体の方向転換を行うとともに、刈取側の長手方向に設置した操作コラム３のパネル盤２５に変速レバー２１や、クラッチレバー２２、昇降レバー２３等の操縦装置を装備し、機体の前後進と作業速度の変速を行いながら収穫作業をする前記運転席Ｃの構造にしてある。又、運転席Ｃの後方にグレンタンク１９が連設され、左側の機台１６上に搭載した脱穀部Ｂで脱粒処理を行い、選別した良穀粒を一時貯留する構成にしてあって、後端に立設させた揚穀装置２６の先端を上下左右に回動する排出オーガ２７の基部と連結し、前記グレンタンク１９から受継いだ穀粒を任意の位置に設けた運搬用具に適宜排出するものである。
【００１２】
一方、機台１６上の左側に搭載した脱穀部Ｂの前方に据付け台２８を設け、刈取部Ａの入力ケース３０を昇降自在に支持して刈取り回動支点Ｐを形成し、該入力ケース３０から斜降する刈取駆動ケース３７に分草パイプ３４と駆動パイプ３９を連結し、更に引起しケース１の先端に迂回させたステー２９によって引起し装置５の上下が支持され、前記分草パイプ３４の先端に分草板３２を複数列設けて傾倒穀稈の分草と刈取り高さ調節を行い、設定された３条刈り刈刃３１の全幅で植立穀稈を切断する刈取装置である。
【００１３】
このような３条刈コンバインの刈幅は、クローラ操行装置１５の左端を基準に配置されるために、運転席Ｃのハンドル２０付近に引起しケース１の右外端が到達し、しかも、刈取部Ａが拡張する６条刈りでは、重合部が更に増加して引起し装置５で運転席Ｃの略全面が覆われ、機体の前方に装備しようとする警報装置の送信障害になる。これらの不具合を解消するために、操作コラム３の前方をパネル盤２５から隆起させて前頭部４３を高く形成し、前記刈取部Ａを降下させた作業状態の正面視において、引起し装置５よりも上方の操作コラム３の前面にホーン２を設置し、引起しケース１越しに該ホーン２が直視できる配置になって警報音が前方に直進し、刈取り穀稈でタイン通路８が塞がれる作業中においても、警報音が効果的に発信できるコンバインの警報装置にしたものである。
【００１４】
図６は刈取部が上昇したコンバインの全体側面図であって、シャーシ３３側に油圧シリンダー３５の基部を装着し、ロット３６の先端を刈取駆動ケース３７に連結させ、その伸縮作用によって刈取部Ａが矢印イの方向に上昇して、運転席Ｃに設けた操作コラム３の前面を引起し装置５が覆い、該引起し装置５の裏面側になるホーン２に接近して送信障害を生じる。このような警報音を妨げる刈取り構造物を回避させ、前述する刈取部Ａが下降した作業中と、上昇させた路上走行の双方において、該警報音の発信を直進させる警報装置にしたものである。
【００１５】
図１は、引起し装置と操作コラムの要部を断面した側面図であって、図４のコンバイン前方の平面図と図６の刈取部が上昇した全体側面図を併用し、ホーンの設置構造を説明すると、正面視でタイン通路８の幅内にホーン２を臨ませて、引起しケース１越しに直視できる高い位置にホーン２を設置するために、操作コラム３の前側をパネル盤２５よりも上方に隆起させた前頭部４３を形成し、その前上方に該ホーン２を設けて警報音を機体前方の高所から発信し、刈取り穀稈で前記タイン通路８が塞がれる刈取り作業中でも警報音が発信できる構成にしてある
。又、運転席Ｃに重合する引起し装置５のタイン通路８と前記ホーン２を進行方向と同列に配置した音声路を形成し、刈取部Ａの昇降によって刈取り構造物が遮音する弊害を解消した警報装置にしてある。
【００１６】
このようにタイン通路８とホーン２を平面視で同列に配置した刈取部Ａには、該タイン通路８から図４に示す脱穀部Ｂに横設したフィードチェン４５に向け、屈折させた上部搬送装置３８が設けられ、穀稈を揚上搬送しながら稈姿勢を横倒させ該脱穀部Ｂに供給するものである。この搬送過程における該上部搬送装置３８の穂部側に沿って穂部案内板６を張設してあり、穀稈を保持しながら搬送の案内をする構成であり、しかも、刈取部Ａが上昇しても該穂部案内板６の上縁部５２がホーン２の前方に到達しない高さに設定され、路上走行時に該ホーン２の前方を開放して警報音がタイン通路８を介し、直進する警報装置にしてある。
【００１７】
図５に示すホーン２に通電する回路は、キースイッチ５１をＯＮにしてハンドル２０に設けたホーンスイッチ４４を押すと、ハンドルコラム４８に設置したコンビネーションスイッチ４８がＯＮになり、前記ホーン２に通電されている間警報音を発信するものである。
【００１８】
図２は、ホーン部を拡大した正面図であって、図３の要部を断面した平面図を併用して警報装置の取り付け構造を説明すると、運転席Ｃの左側に沿って形設した操作コラム３の前方を変速レバー２１等を設けたパネル盤２５から隆起させて前頭部４３を形成し、その前方に収設したホーン２の正面を多数の小穴やスリット形状の孔を設けた多孔面１１にするとともに、該ホーン２の外周を覆う集音ケース１０を設置し、該集音ケース１０と側壁１３に取付台４０を架設してホーン座４１を螺着する取り付け構造にしてあり、前記ホーン２やホーン座４１と集音ケース１０を非接触の状態で収設してある。尚４２は、集音ケース１０の下面に穿孔した洗車用の水抜き孔である。
【００１９】
以上説明したように、多条刈りコンバインの刈取部Ａが昇降して機体の前面を覆う場合においても、警報音を機体前方に効果的に発信させて受信者が聴取し易くしたコンバインの警報装置にしたので、エンジン音や収穫作業の騒音の影響が少なくなり、速やかに危険を感受できる以下に掲げるような効果がある。
【００２０】
機体の前方に昇降自在に装着した刈取部が運転席の前面と重合する多条刈りコンバインにおいて、運転席Ｃの前方に設けたホーン２を正面視で、引起し装置５を形成するタイン通路８の幅内に臨ませたので、刈取部Ａの上下位置と関係なく警報音が妨げられず直進して遠方にまで到達するようになった。
【００２１】
刈取部Ａを降下させた作業状態の正面視で、引起し装置５よりも上方の操作コラム３にホーン２を設置したたので、作業中の搬送穀稈で刈取り通路が覆われても前記引起し装置５の上方から警報音が発信され、エンジン音や作業騒音にかき消されることが少なく、作業中の通報連絡や危険警報が正しく伝達できるようになった。
【００２２】
ホーン２の外周を覆う集音ケース１０を操作コラム３に内設し、前面を多孔面１１で構成したので、警報音を聴取する受信者の背丈に近い高さに設置され、前方に向けて発信する該警報音が正しく感受されるとともに、洗車時の圧力水が前記多孔面１１を通過する際に圧力が減衰し、ホーン２自体に直接高圧水がかかることが防止できた。
【産業上の利用可能性】
【００２３】
機体の前方に作業機を装備する農作業機や、昇降する貨物等を搭載して運転席の前方が塞がれる運搬車等の警報装置に活用できる。
【図面の簡単な説明】
【００２４】
【図１】引起し装置と操作コラムの要部を断面した側面図である。
【図２】ホーン部を拡大した正面図である。
【図３】ホーン部を断面した平面図である
【図４】要部を断面したコンバインの平面図である。
【図５】ホーンの配線図である。
【図６】刈取部が上昇した全体側面図である。
【図７】コンバインの正面図である。
【図８】コンバインの側面図である。
【符号の説明】
【００２５】
Ａ・・刈取部          Ｂ・・脱穀部            Ｃ・・運転席
１・・引起しケース    ２・・ホーン            ３・・操作コラム
５・・引起し装置      ６・・穂部案内板        ７・・通音窓
８・・タイン通路    １０・・集音ケース      １１・・多孔面
２５・・パネル盤      ４１・・ホーン座        ４３・・前頭部
４６・・フロントカバー５２・・上縁部
矢印イ・・刈取部の上昇方向
【図１】
2005151806.tif 000003
【図２】
2005151806.tif 000004
【図３】
2005151806.tif 000005
【図４】
2005151806.tif 000006
【図５】
2005151806.tif 000007
【図６】
2005151806.tif 000008
【図７】
2005151806.tif 000009
【図８】
2005151806.tif 000010